(57)【要約】【課題】測色計の測色精度を維持し、且つ読取部のメンテナンスを容易にすることができる画像読取装置及び画像形成システムを提供する。【解決手段】画像読取装置５の画像読取筐体７０１には、読取部７３０が収容されている。読取部７３０は、用紙を読取位置Ａで読み取るものである。読取位置Ａの用紙と対向する箇所には、光透過部材７１３が設けられている。光透過部材７１３は、用紙に照射される照明光及び用紙から反射される反射光を含む入射光を透過させるものである。読取部７３０は、引出ガイド部材７３３が設けられている。引出ガイド部材７３３は、画像読取筐体７０１から引出自在に構成され、光透過部材７１３と用紙支持部材７２１との距離を読取下限距離Ｃ以上に保つものであり、照明光の照射に伴い生じる熱を外に伝達させるものである。【選択図】図１
2018160749.tif 000002
【特許請求の範囲】
【請求項１】
用紙を読み取る画像読取装置であって、
前記用紙を搬送する通紙経路と、
前記通紙経路により搬送される前記用紙の表面及び裏面の少なくとも一方を読取位置で読み取る読取部と、
前記読取部と対向して設けられ、前記用紙の読取面の裏面側を支持する用紙支持部材と、
前記用紙に形成された画像の色を測色する測色計と、
前記読取部及び前記測色計を収容する画像読取筐体と、
を備え、
前記読取部は、
読取筐体と、
前記読取筐体に収容されるものであって、且つ前記読取位置の前記用紙と対向する箇所に設けられ、前記用紙に照射される照明光及び前記用紙から反射される反射光を含む入射光を透過させる光透過部材と、
前記読取筐体に設けられ、前記画像読取筐体から引出自在に構成され、且つ前記光透過部材と前記用紙支持部材との距離を読取下限距離以上に保つ引出ガイド部材と、
を備え、
前記引出ガイド部材は、
前記照明光の照射に伴い生じる熱を前記読取筐体の外に伝達させるものである、
画像読取装置。
【請求項２】
前記引出ガイド部材は、
金属製材料から形成されているものである、
請求項１に記載の画像読取装置。
【請求項３】
前記引出ガイド部材は、
高熱伝導性樹脂よりも熱伝導率の高い材料で覆われているものである、
請求項２に記載の画像読取装置。
【請求項４】
前記引出ガイド部材は、
前記読取筐体を支持し、且つ前記読取筐体と共に引出自在に構成される引出部材と、
前記読取筐体の引出方向に沿って、前記引出部材を引出自在に支持するものであって、且つ前記読取筐体の高さを保つ保持部材と、
を備える、
請求項１〜３の何れか一項に記載の画像読取装置。
【請求項５】
前記読取部は、
前記読取筐体の内部且つ下方に設けられ、前記照明光を照射する照明部と、
前記読取筐体の内部且つ前記照明部の上方に設けられ、前記入射光を検出する光検出部と、
をさらに備え、
前記引出ガイド部材は、
前記測色計及び前記照明部よりも上方に設けられている、
請求項１から４の何れか一項に記載の画像読取装置。
【請求項６】
前記画像読取筐体の内部に設けられ、前記照明部を冷却する冷却部、
をさらに備える、
請求項５に記載の画像読取装置。
【請求項７】
前記画像読取筐体に設けられ、前記引出ガイド部材により伝達される前記熱を前記画像読取筐体の外に放出させる送風部、
をさらに備える、
請求項１〜６の何れか一項に記載の画像読取装置。
【請求項８】
前記読取部は、
前記測色計よりも上流側に２台設けられているものであって、
前記測色計よりも上流側に設けられている２台の前記読取部のうち一方は、
前記通紙経路の下方に設けられ、前記用紙の裏面を読み取るものであり、
前記測色計よりも上流側に設けられている２台の前記読取部のうち他方は、
前記通紙経路の上方に設けられ、前記用紙の表面を読み取るものである、
請求項１〜７の何れか一項に記載の画像読取装置。
【請求項９】
画像形成装置と、
前記画像形成装置の下流側に設けられ、請求項１〜８の何れか一項に記載の画像読取装置と、
を備える、
画像形成システム。
【発明の詳細な説明】
【技術分野】
【０００１】
本開示は、画像読取装置及び画像形成システムに関する。
【背景技術】
【０００２】
従来、原稿のジャム処理又は読取部等の各種メンテナンスの作業を簡略化するために、給紙トレーの底面に設けられている密着型画像センサーの着脱を容易にする構成が提案されている（例えば、特許文献１参照）。
【先行技術文献】
【特許文献】
【０００３】
【特許文献１】特開２０１０−０６２７１２号公報
【発明の概要】
【発明が解決しようとする課題】
【０００４】
しかし、特許文献１に記載のような従来技術は、給紙トレーを回動することにより密着型画像センサーの取り外しを容易にする構成であるが、読取部を引き出して各種メンテナンスを可能とする構成ではない。また、用紙の通紙経路の上方のうち、読取部の読取位置と対向する箇所には読取部から照射される光等を反射させる用紙支持部材が設けられている。よって、読取部を手前に引き出してメンテナンスをする場合、読取部の自重により読取部が下降する恐れがある。読取部が下降すれば、読取部と、用紙支持部材との間が狭くなるため、ずれ量によっては読取部と、用紙支持部材とが接触する恐れがある。読取部と、用紙支持部材とが接触すれば、読取部にキズ等が生じる恐れがあるため、読取部を引き出すことによる読取部のメンテナンスは容易ではない状況である。
【０００５】
また、読取部だけでなく測色計が設けられている構成であれば、測色計は、読取部から光を照射させることに伴う熱の影響を受ける恐れがある。測色計は、測色時の用紙の温度又は用紙の周囲温度等のような温度に起因して色が変化するサーモクロミズム現象の影響を受ければ、測色計の測色結果は変動する。よって、測色計の測色結果が読取部による熱の影響を受けるものであれば、測色計は、測色精度を維持することができない状況である。
【０００６】
つまり、従来技術においては、測色計の測色精度を維持し、且つ読取部のメンテナンスを容易にすることができない状況である。
【０００７】
本開示はこのような状況に鑑みてなされたものであり、測色計の測色精度を維持し、且つ読取部のメンテナンスを容易にすることができるようにするものである。
【課題を解決するための手段】
【０００８】
本開示の第１の側面である画像読取装置は、用紙を読み取る画像読取装置であって、前記用紙を搬送する通紙経路と、前記通紙経路により搬送される前記用紙の表面及び裏面の少なくとも一方を読取位置で読み取る読取部と、前記読取部と対向して設けられ、前記用紙の読取面の裏面側を支持する用紙支持部材と、前記用紙に形成された画像の色を測色する測色計と、前記読取部及び前記測色計を収容する画像読取筐体と、を備え、前記読取部は、読取筐体と、前記読取筐体に収容されるものであって、且つ前記読取位置の前記用紙と対向する箇所に設けられ、前記照明光及び前記用紙から反射される反射光を含む入射光を透過させる光透過部材と、前記読取筐体に設けられ、前記画像読取筐体から引出自在に構成され、且つ前記光透過部材と前記用紙支持部材との距離を読取下限距離以上に保つ引出ガイド部材と、を備え、前記引出ガイド部材は、前記照明光の照射に伴い生じる熱を前記読取筐体の外に伝達させるものである。
【０００９】
よって、画像形成システムは、引出ガイド部材が、光透過部材との距離を読取下限距離以上に保ち、且つ照明光の照射に伴い生じる熱を読取筐体の外に伝達させることにより、測色計の温度上昇を防ぎつつ、読取部の下降を規制することができるため、測色計の測色精度を維持し、且つ読取部のメンテナンスを容易にすることができる。
【００１０】
また、前記引出ガイド部材は、金属製材料から形成されているものである、ことが好ましい。
【００１１】
また、前記引出ガイド部材は、高熱伝導性樹脂よりも熱伝導率の高い材料で覆われているものである、ことが好ましい。
【００１２】
また、前記引出ガイド部材は、前記読取筐体を支持し、且つ前記読取筐体と共に引出自在に構成される引出部材と、前記読取筐体の引出方向に沿って、前記引出部材を引出自在に支持するものであって、且つ前記読取筐体の高さを保つ保持部材と、を備える、ことが好ましい。
【００１３】
また、前記読取部は、前記読取筐体の内部且つ下方に設けられ、前記照明光を照射する照明部と、前記読取筐体の内部且つ前記照明部の上方に設けられ、前記入射光を検出する光検出部と、をさらに備え、前記引出ガイド部材は、前記測色計及び前記照明部よりも上方に設けられている、ことが好ましい。
【００１４】
また、前記画像読取筐体の内部に設けられ、前記照明部を冷却する冷却部、をさらに備える、ことが好ましい。
【００１５】
また、前記画像読取筐体に設けられ、前記引出ガイド部材により伝達される前記熱を前記画像読取筐体の外に放出させる送風部、をさらに備える、ことが好ましい。
【００１６】
また、前記読取部は、前記測色計よりも上流側に２台設けられているものであって、前記測色計よりも上流側に設けられている２台の前記読取部のうち一方は、前記通紙経路の下方に設けられ、前記用紙の裏面を読み取るものであり、前記測色計よりも上流側に設けられている２台の前記読取部のうち他方は、前記通紙経路の上方に設けられ、前記用紙の表面を読み取るものである、ことが好ましい。
【００１７】
また、本開示の第２の側面である画像形成システムは、画像形成装置と、前記画像形成装置の下流側に設けられ、上記記載の画像読取装置と、を備える。
【００１８】
よって、上記に記載の画像読取装置の場合と同様に、測色計の測色精度を維持し、且つ読取部のメンテナンスを容易にすることができる。
【発明の効果】
【００１９】
本開示の第１及び第２の側面によれば、測色計の測色精度を維持し、且つ読取部のメンテナンスを容易にすることができる。
【図面の簡単な説明】
【００２０】
【図１】本開示を適用した実施形態１に係る画像形成システム１の全体構成例を示す図である。
【図２】実施形態１に係る光量Ｘを概略的に説明する図である。
【図３】実施形態１に係る読取部７３０の内部構成の概略例を示す図である。
【図４】実施形態１に係る読取部７３０に含まれる照明部７３４の概略構成例を示す図である。
【図５】実施形態１に係る用紙支持部材７２１Ａの使用例を説明する図である。
【図６】実施形態１に係る画像読取装置７から読取部７３０を引き出した状態を示す図である。
【図７】実施形態２に係る画像読取装置７の概略構成例を示す図である。
【図８】実施形態２に係る読取部７６０の内部構成の概略例を示す図である。
【発明を実施するための形態】
【００２１】
以下、図面に基づいて本発明の実施形態を説明するが、本発明は以下の実施形態に限られるものではない。なお、「構成する」、「より成る」、「含む」、「含んでいる」、「有する」、「備える」又はそれらの他の何らかの同義語は、非排他的な包含関係をカバーするように意図される。例えば、要素の列挙を含むプロセス、方法、物品又は装置は、それらの要素だけに限定されることは必須でなく、明示的には列挙されていない又は本来備わっているはずの他の要素が、そのようなプロセス、方法、物品又は装置に含まれてもよい。さらに、明示的に言及しない限り、「又は」は包括的なものであり、排他的な和ではない。例えば、「条件Ａ又はＢ」は、Ａが存在し且つＢが存在しない場合、Ａが存在せず且つＢが存在する場合、ＡもＢも両方とも存在する場合の何れの場合でも満たされる。
【００２２】
実施形態１．
図１は、本開示を適用した実施形態１に係る画像形成システム１の全体構成例を示す図である。図２は、実施形態１に係る光量Ｘを概略的に説明する図である。図３は、実施形態１に係る読取部７３０の内部構成の概略例を示す図である。図４は、実施形態１に係る読取部７３０に含まれる照明部７３４の概略構成例を示す図である。図５は、実施形態１に係る用紙支持部材７２１Ａの使用例を説明する図である。図６は、実施形態１に係る画像読取装置７から読取部７３０を引き出した状態を示す図である。
【００２３】
画像形成システム１は、給紙装置３と、画像形成装置５と、画像読取装置７と、後処理装置９とを備える。給紙装置３は、サイズの異なる用紙Ｐを収納可能である。給紙装置３は、収納されている用紙Ｐを画像形成装置５まで搬送するものである。後処理装置９は、画像が形成されている用紙Ｐに穴開け等の後処理を行うものである。後処理装置９は、画像が形成されている用紙Ｐに除電等の後処理を行ってもよい。
【００２４】
画像形成装置５は、読取部１１と、画像形成装置本体１９とを備える。読取部１１は、ＡＤＦ１１Ａと、原稿読取部１１Ｂとを備える。ＡＤＦ１１Ａは、原稿トレイ１３、通紙経路１５、排紙トレイ１７、密着型イメージセンサー２１、及び濃度基準部材２３等を備える。濃度基準部材２３は、ＡＤＦ１１Ａのシェーディング補正時に利用される。原稿読取部１１Ｂは、原稿照明部２５、反射ミラー２６、集光レンズ２７、センサー２８、及びプラテンガラス２９等を備える。読取部１１は、原稿トレイ１３にセットされている原稿を、１枚ずつ分離して繰り出し、密着型イメージセンサー２１が配置されている通紙経路１５に沿って副走査方向に搬送し、排紙トレイ１７に排紙する。原稿照明部２５は、ランプ２５Ａと、ミラー２５Ｂとを備える。原稿は通紙経路１５に沿って副走査方向に搬送されつつ、主走査方向のライン単位の読取動作が、原稿照明部２５、反射ミラー２６、集光レンズ２７、及びセンサー２８により繰り返し実行される。
【００２５】
画像形成装置本体１９は、画像形成部４１、定着部４３、及び給紙部４５等を備える。画像形成部４１は、露光装置５１と、現像装置５３と、感光ドラム５５と、転写ベルト５７とを備える。画像形成部４１は、読取部１１により読み取られた原稿の画像データに基づき、露光装置５１により感光ドラム５５に異なる色のトナーを供給して現像する。画像形成部４１は、給紙部４５から供給された用紙Ｐに、感光ドラム５５に現像されたトナー像を転写ベルト５７により転写する。画像形成部４１は、用紙Ｐに転写されたトナー像のトナーを定着部４３で融解させることにより、用紙Ｐにカラー画像が定着する。
【００２６】
画像読取装置７は、画像形成装置５の下流側にインライン方式で配置され、画像が形成されている用紙Ｐの片面又は両面に印刷された画像を読み取る。具体的には、画像読取装置７は、用紙Ｐに印刷された画像の色、位置、及び倍率等の読取結果に基づいて画像の補正量を求める。画像の補正量は、画像形成装置５にフィードバックされる。なお、以下の説明では、インライン方式で配置されている画像読取装置７を前提とするが、画像読取装置７は、画像形成装置５の下流側にオフライン方式で配置されてもよい。
【００２７】
画像読取装置７は、画像読取筐体７０１、搬送部７１０、及び読取部７３０等を備える。画像読取筐体７０１は、読取部７３０及び搬送部７１０を収容するものである。画像読取筐体７０１は、開閉方向Ｌで開閉自在な扉７０２が設けられ、扉７０２を開くことにより、搬送部７１０及び読取部７３０の一部が閲覧可能となる。扉７０２は、内側には位置決め部材７０３，７０４が設けられている。位置決め部材７０３は、搬送部７１０と対向し、搬送部７１０の収容位置を決めるものである。位置決め部材７０４は、読取部７３０と対向し、読取部７３０の収容位置を決めるものである。
【００２８】
搬送部７１０は、搬送筐体７１１を備え、画像読取筐体７０１から搬送筐体７１１を引き出すことで各種メンテナンスが可能となっている。搬送筐体７１１は、突起７１２が設けられている。突起７１２は、位置決め部材７０３と対向するものである。よって、扉７０２が閉じられた状態のとき、位置決め部材７０３により突起７１２が押圧されることにより、搬送部７１０の収容位置が決まるものである。
【００２９】
搬送部７１０は、搬送ガイド部材７１５，７１７、測色計７９０、及び用紙支持部材７２１Ａ，７２２等を備える。搬送ガイド部材７１５は、上側の部材と、下側の部材とで対で構成されるものであり、上側の部材及び下側の部材のそれぞれに搬送ローラー７１６が設けられている。搬送ローラー７１６の駆動により用紙Ｐが搬送ガイド部材７１５に沿って搬送されるものである。搬送ガイド部材７１７は、上側の部材と、下側の部材とで対で構成されるものであり、上側の部材及び下側の部材のそれぞれに搬送ローラー７１８，７１９が設けられている。搬送ローラー７１８，７１９の駆動により用紙Ｐが搬送ガイド部材７１７に沿って搬送されるものである。つまり、搬送ガイド部材７１５，７１７及び搬送ローラー７１６，７１８，７１９により用紙搬送方向Ｋに沿って用紙Ｐを搬送する通紙経路７２０が構成されるものである。
【００３０】
測色計７９０は、読取部７３０の読取位置Ａよりも下流側に設けられ、用紙Ｐに形成された画像の色を測色するものである。測色計７９０は、用紙Ｐに形成された画像の色を測色することにより、用紙Ｐに形成する画像の色の絶対値を保証する。具体的には、測色計７９０は、用紙Ｐに形成された画像に可視光を照射する。測色計７９０は、測色計７９０と対向する用紙支持部材７２２により反射される可視光の反射光の分光スペクトルを取得する。測色計７９０は、取得した分光スペクトルから求められる分光データに基づき、三刺激値を求める。測色計７９０は、三刺激値に基づき、色彩値を求める。色彩値は、具体的には、直交座標系又は円柱座標系等の表色系で表現されるものであり、用紙Ｐに形成された画像の色味が導き出されるものである。なお、用紙支持部材７２１Ａ及び用紙支持部材７２１Ａの上方にある光透過部材７１３は、読取部７３０と連携して使用されるものである。
【００３１】
読取部７３０は、読取筐体７３１を備え、画像読取筐体７０１から読取筐体７３１を引き出すことで各種メンテナンスが可能となっている。読取筐体７３１は、突起７３２が設けられている。突起７３２は、位置決め部材７０４と対向するものである。よって、扉７０２が閉じられた状態のとき、位置決め部材７０４により突起７３２が押圧されることにより、読取部７３０の収容位置が決まるものである。
【００３２】
読取部７３０は、通紙経路７２０により搬送される用紙Ｐの表面及び裏面の少なくとも一方を読取位置Ａで読み取るものであって、図１の一例においては、用紙Ｐの表面を読み取るものとして配置されている。読取部７３０は、光透過部材７１３を備える。光透過部材７１３は、読取筐体７３１に収容されるものであって、且つ読取位置Ａにおける用紙Ｐと対向する箇所に設けられている。光透過部材７１３は、読取部７３０から用紙Ｐに照射される照明光を透過させるものである。光透過部材７１３は、用紙Ｐから反射される反射光を含む入射光を透過させるものである。また、光透過部材７１３は、用紙支持部材７２１Ａから反射される透過光の反射光を含む入射光を透過させるものでもある。
【００３３】
用紙支持部材７２１Ａは、読取部７３０と対向して設けられ、用紙Ｐの読取面の裏面側を支持するものである。用紙支持部材７２１Ａは、読取部７３０から光透過部材７１３を介して用紙Ｐに照射される照明光により生じる透過光を反射させるものでもある。透過光は、読取部７３０から照射される照明光のうち用紙Ｐを透過したものである。反射光は、用紙Ｐを透過した透過光のうち用紙支持部材７２１Ａに反射されるものである。なお、反射光は、照明光のうち用紙Ｐを透過せずに用紙Ｐで反射されるものもある。つまり、光透過部材７１３への入射光の光量Ｘは、照明光のうち用紙Ｐを透過せずに用紙Ｐで反射されるものと、反射光のうち用紙Ｐを透過するものと、が含まれる。
【００３４】
用紙支持部材７２１Ａは、読取部１１との対向面には用途に応じたものが構成されている。図５の一例においては、用紙支持部材７２１Ａは、六角形で構成され、用途に応じて読取部１１との対向面を回転させて切り替えるものである。具体的には、読取部１１との対向面には、黒色面Ｉ、白色面ＩＩ、用紙支持面ＩＩＩ、白基準面ＩＶ、黒基準面Ｖ、及び面ＶＩが構成されている。より具体的には、黒色面Ｉは、用紙Ｐの外形及び画像の印刷位置を読み取るときに用紙Ｐの読取面の裏面側を支持するものであって、用紙Ｐの背景となるものであり、黒色で形成されている。白色面ＩＩは、用紙Ｐに印刷された画像の色を読み取るときに用紙Ｐの読取面の裏面側を支持するものであって、用紙Ｐを透過した透過光を反射するものであり、白色で形成されている。用紙支持面ＩＩＩは、用紙Ｐ自体を読み取らないときに用紙Ｐの読取面の裏側を支持するものであって、通紙のみのときに使用されるものである。
【００３５】
白基準面ＩＶは、読取部１１の読取色を校正するものであり、白色の基準色で形成されている。黒基準面Ｖは、読取部１１の光透過部材７１３に付着した塵埃等のような付着物を検出するためのものであり、黒色の基準色で形成されている。つまり、白基準面ＩＶ又は黒基準面Ｖは、用紙Ｐは搬送されず、読取色の校正又は付着物の検出等のような読取部１１のメンテナンス等に使用されるものである。面ＶＩは、動作しないときのホームポジションのときに読取部１１との対向面となるものである。
【００３６】
なお、用紙支持部材７２１Ａは、読取部１１との対向面としては、上記で説明した全てが構成されていなくてもよい。用紙支持部材７２１Ａは、少なくとも、白色面ＩＩと、白基準面ＩＶとが構成されていればよい。
【００３７】
読取部７３０は、照明部７３４、ミラー部７３５、結像レンズ列７３６、及び光検出部７３７等を備える。照明部７３４は、読取筐体７３１の内部且つ下方に設けられ、上記で説明した光透過部材７１３を読取筐体７３１の突出箇所に配置させることにより、光透過部材７１３を介して照明光を照射するものである。ミラー部７３５及び結像レンズ列７３６は、縮小光学系が構成され、光透過部材７１３を透過した入射光を光検出部７３７に導くものである。光検出部７３７は、読取筐体７３１の内部且つ照明部７３４の上方に設けられ、入射光を検出するものである。光検出部７３７は、具体的には、ＣＣＤ又はＣＭＯＳ等のような固体撮像素子を内蔵するものであり、そのような固体撮像素子により結像レンズ列７３６から出射される光を検出して電気信号に変換し、変換した電気信号は不図示の出力端子により出力されるものである。より具体的には、固体撮像素子は、１画素ごとに光電変換する撮像素子である。複数の固体撮像素子が用紙Ｐの幅方向、すなわち、主走査方向に１次元状に並べて配置され、ラインイメージセンサーとして構成されている。読取部７３０は、複数の固体撮像素子の読取範囲が、画像形成装置５等から供給される用紙Ｐの最大幅を読み取ることができるように構成されている。読取部７３０は、読取位置Ａを通過する用紙Ｐの通紙動作に合わせて、用紙Ｐの幅方向に延在する１ライン分の画像の読取動作を繰り返し行うことにより、用紙Ｐに形成されている画像を２次元画像として読み取り、画像の色の読取値とするものである。なお、画像形成システム１は、測色計７９０により求められた画像の色彩値に基づき、読取部７３０で読み取られた画像の色の読取値を補正することができるものである。
【００３８】
照明部７３４は、光透過部材７１３の他に、照明筐体７３４１、光源７３４２、及び導光部材７３４４を備え、開口７３４５が構成されているものである。照明筐体７３４１は、光源７３４２、光透過部材７１３、及び導光部材７３４４を収納するものである。光源７３４２は、ハロゲンランプ又はＬＥＤ等により構成されるものである。光源７３４２は、ＬＥＤで構成されるものであれば、さらにＬＥＤを制御するパワー半導体モジュールを備える。ハロゲンランプ及びパワー半導体モジュールは、駆動に伴い熱を発生するものである。導光部材７３４４は、主走査方向に沿って設けられているものであって、光透過部材７１３を介して、光源７３４２の光を照明光として用紙Ｐに導くものである。また、光透過部材７１３は、入射光を透過させるものである。光透過部材７１３を透過した入射光は、開口７３４５を介して、ミラー部７３５に伝達される。なお、光透過部材７１３は、ガラス又は樹脂等のような透過部材で構成されるものである。また、光源７３４２及び導光部材７３４４は一体的に構成されるものであってもよい。
【００３９】
読取筐体７３１には、引出ガイド部材７３３が設けられている。引出ガイド部材７３３は、画像読取筐体７０１から引出自在に構成される。引出ガイド部材７３３は、光透過部材７１３と用紙支持部材７２１Ａとの距離を読取下限距離Ｃ以上に保つものである。読取下限距離Ｃは、読取部７３０の読取精度が維持できる距離であって、読取部７３０を引き出す際に生じる読取筐体７３１の振動を考慮した最小距離である。
【００４０】
引出ガイド部材７３３は、引出部材７３３１と、保持部材７３３２とを備える。引出部材７３３１は、読取筐体７３１を支持し、且つ読取筐体７３１と共に引出自在に構成されるものである。保持部材７３３２は、読取筐体７３１の引出方向Ｍに沿って、引出部材７３３１を引出自在に支持するものであって、且つ読取筐体７３１の高さを保つものである。つまり、引出ガイド部材７３３は、引出部材７３３１と、保持部材７３３２とから構成されるスライド形状のレールである。また、保持部材７３３２は、支持部材７０６に固定されるものである。支持部材７０６は、画像読取筐体７０１に固定されるものである。よって、保持部材７３３２は、支持部材７０６を介して、画像読取筐体７０１との位置関係が固定される。
【００４１】
照明部７３４は照射光の照射に伴い熱が生じる。また、画像が熱定着された用紙Ｐであれば、用紙Ｐ自体にも熱がある。このような熱が読取部７３０に伝達されれば、読取部７３０に蓄熱されるため、読取部７３０の温度が上昇する。読取部７３０の温度が上昇すれば、用紙Ｐ自体の温度の低下を阻害すると共に、測色計７９０の周囲温度も上昇する。測色計７９０は、測色時の用紙Ｐの温度又は用紙Ｐの周囲温度等のような温度に起因して色が変化するサーモクロミズム現象の影響又は測色計７９０自体の温度変化の影響を受ければ、測色計７９０の測色結果である画像の色彩値は変動する。よって、熱の影響を低減しなければ、測色計７９０は、測色精度を維持することができない。熱の影響を低減するには、読取部７３０に蓄熱される熱を逃がす必要がある。熱を逃がすには、自然対流によるものと、強制対流によるものとが想定される。
【００４２】
自然対流によるものとしては、引出ガイド部材７３３を利用するものがある。引出ガイド部材７３３は、照明光の照射に伴い生じる熱を読取筐体７３１の外に伝達させるものである。具体的には、引出ガイド部材７３３は、金属製材料から形成されているものである。また、引出ガイド部材７３３は、ポリイミド樹脂、ポリカーボネート樹脂、又はポリブチレンテレフタレート樹脂等のような高熱伝導性樹脂よりも熱伝導率の高い材料で覆われているものであってもよい。このように、引出ガイド部材７３３は、その構成される材料特性により、読取部７３０に蓄熱される熱を容易に放出させることができるものである。
【００４３】
一方、強制対流によるものとしては、冷却部７１４及び送風部７０５を利用するものがある。冷却部７１４は、画像読取筐体７０１の内部に設けられている。冷却部７１４は、具体的には、測色計７９０と、読取筐体７３１との間に設けられ、照明部７３４を冷却するものである。冷却部７１４は、例えば、ファンにより構成されるものであり、ファンの駆動によりファンから送風される風量を調整し、照明部７３４の周囲温度を制御するものである。
【００４４】
送風部７０５は、画像読取筐体７０１に設けられている。送風部７０５は、具体的には、画像読取筐体７０１に形成された排気口７０９と、読取部７３０との間に設けられ、引出ガイド部材７３３により伝達される熱を画像読取筐体７０１の外に放出させるものである。送風部７０５は、例えば、ファンにより構成されるものであり、ファンの駆動によりファンから送風される風量を調整し、画像読取筐体７０１内部の熱を排気口７０９から外に放出させるものである。なお、図５においては、送風部７０５及び支持部材７０６等の図示並びに画像読取筐体７０１の側面等の図示については省略する。
【００４５】
つまり、引出ガイド部材７３３による熱の自然対流と、冷却部７１４及び送風部７０５による熱の強制対流とを組み合わせることにより、読取部７３０に蓄熱される熱を逃がすことができるため、測色計７９０により画像の色を測色する際、用紙Ｐ及び測色計７９０を室温に近い状態にすることができる。
【００４６】
また、読取部７３０は、照明部７３４、ミラー部７３５、及び結像レンズ列７３６等が読取筐体７３１に収容されているため、重量がある。よって、読取部７３０を引き出す際、読取部７３０の重量により、読取部７３０が下降し、光透過部材７１３が用紙支持部材７２１Ａに接触する恐れがあるが、引出ガイド部材７３３が金属製材料から構成されているため、引出ガイド部材７３３の強度は強いものである。したがって、読取部７３０が引き出される際、読取部７３０の下降が規制されるため、光透過部材７１３と用紙支持部材７２１Ａとの接触を避けることができる。この結果、光透過部材７１３のキズ等が生じることを回避することができる。
【００４７】
以上の説明から、本開示を適用した画像形成システム１は、引出ガイド部材７３３が、光透過部材７１３と用紙支持部材７２１Ａとの距離を読取下限距離Ｃ以上に保ち、且つ照明光の照射に伴い生じる熱を読取筐体７３１の外に伝達させることにより、測色計７９０の温度上昇を防ぎつつ、読取部７３０の下降を規制することができるため、測色計７９０の測色精度を維持し、且つ読取部７３０のメンテナンスを容易にすることができる。
【００４８】
また、本開示を適用した画像形成システム１において、引出ガイド部材７３３が金属製材料から形成されることにより、引出ガイド部材７３３の熱伝導率が高いものであるため、引出ガイド部材７３３から放出される熱の自然対流を促進させることができる。また、引出ガイド部材７３３が金属製材料から形成されることにより、引出ガイド部材７３３の強度を強くすることができるため、読取部７３０の下降を特に顕著に規制することができる。
【００４９】
また、本開示を適用した画像形成システム１において、引出ガイド部材７３３が高熱伝導性樹脂よりも熱伝導率の高い材料で覆われているものであることにより、引出ガイド部材７３３が金属製材料から形成されるものであったとしても、腐食を防ぐことができるため、引出ガイド部材７３３の耐久性を向上させることができる。
【００５０】
また、本開示を適用した画像形成システム１において、引出ガイド部材７３３が、引出部材７３３１と、保持部材７３３２とを備えることにより、引出ガイド部材７３３がスライド自在な構成となるため、読取部７３０の引出操作を容易にすることができる。
【００５１】
また、本開示を適用した画像形成システム１において、引出ガイド部材７３３が測色計７９０及び照明部７３４よりも上方に設けられることにより、熱により上昇する空気を効率的に放熱させることができる。
【００５２】
また、本開示を適用した画像形成システム１において、冷却部７１４により照明部７３４を冷却することにより、照明部７３４周囲の熱の強制対流を促進させることができるため、照明部７３４の周囲温度をさらに低下させることができる。
【００５３】
また、本開示を適用した画像形成システム１において、送風部７０５により引出ガイド部材７３３により伝達される熱を画像読取筐体７０１の外に放出させることにより、画像読取筐体７０１内部に蓄熱された熱の強制対流を促進させることができるため、画像読取筐体７０１内部の内部温度をさらに低下させることができる。
【００５４】
また、本開示を適用した画像形成システム１は、画像形成装置５と、画像形成装置５の下流側に設けられている画像読取装置７とを備えることにより、用紙Ｐ全体に形成された画像を読み取ることができ、測色計７９０と連携することにより、用紙Ｐを通紙経路７２０に１回通すだけで、用紙Ｐに形成される画像の色を正確に補正することができる。
【００５５】
実施形態２．
実施形態２においては、読取部７３０は実施形態１と同様な構成及び機能である。また、実施形態２においては、搬送部７８０が実施形態１の搬送部７１０と異なる構成であり、読取部７６０をさらに備える構成である。実施形態２では、実施形態１と同様な構成及び機能についての説明は省略する。
【００５６】
図７は、実施形態２に係る画像読取装置７の概略構成例を示す図である。図８は、実施形態２に係る読取部７６０の内部構成の概略例を示す図である。画像読取装置７は、画像読取筐体７０１、搬送部７８０、読取部７６０、及び読取部７３０等を備える。画像読取筐体７０１は、読取部７３０、読取部７６０、及び搬送部７８０を収容するものである。画像読取筐体７０１は、図６と同様な開閉方向Ｌで開閉自在な扉７０２が設けられ、扉７０２を開くことにより、搬送部７８０、読取部７６０及び読取部７３０の一部が閲覧可能となる。扉７０２は、内側には位置決め部材７０３，７０４の他に位置決め部材７０７がさらに設けられている。位置決め部材７０７は、読取部７６０と対向し、読取部７６０の収容位置を決めるものである。
【００５７】
搬送部７８０は、搬送筐体７８１を備え、画像読取筐体７０１から搬送筐体７８１を引き出すことで各種メンテナンスが可能となっている。搬送筐体７８１は、突起７１２が設けられている。なお、突起７１２は、実施形態１と同様の構成及び機能であるため、その詳細な説明については省略する。
【００５８】
搬送部７８０は、搬送ガイド部材７１５，７１７、測色計７９０、及び用紙支持部材７２１Ａ，７２２の他に、搬送ガイド部材７７１及び用紙支持部材７２１Ｂをさらに備える。搬送ガイド部材７７１は、上側の部材と、下側の部材とで対で構成されるものであり、上側の部材及び下側の部材のそれぞれに搬送ローラー７７２が設けられている。搬送ローラー７７２の駆動により用紙Ｐが搬送ガイド部材７７１に沿って搬送されるものである。つまり、搬送ガイド部材７１５，７１７，７７１及び搬送ローラー７１６，７１８，７１９，７７２により用紙搬送方向Ｋに沿って用紙Ｐを搬送する通紙経路７２０が構成されるものである。なお、用紙支持部材７２１Ａ、７２１Ｂを総称する場合、用紙支持部材７２１と称する。
【００５９】
読取部７６０は、読取筐体７６１を備え、画像読取筐体７０１から読取筐体７６１を引き出すことで各種メンテナンスが可能となっている。読取筐体７６１は、突起７６２が設けられている。突起７６２は、位置決め部材７０７と対向するものである。よって、扉７０２が閉じられた状態のとき、位置決め部材７０７により突起７６２が押圧されることにより、読取部７６０の収容位置が決まるものである。読取部７６０は、台座７０８の上に設けられている。台座７０８は、例えば、板金を加工することにより形成されたものであり、読取部７６０の高さ方向の位置を決定するものである。なお、読取部７６０は、照明部７６４、ミラー部７６５、結像レンズ列７６６、及び光検出部７６７を備え、これらが読取筐体７６１に収容されている。読取部７６０は、読取部７３０と同様の構成及び機能であるため、その詳細な説明については省略する。
【００６０】
読取部７６０は、通紙経路７２０により搬送される用紙Ｐの表面及び裏面の少なくとも一方を読取位置Ａで読み取るものであって、図７の一例においては、通紙経路７２０の下方に設けられ、用紙Ｐの裏面を読み取るものである。読取部７３０は、図７の一例においては、通紙経路７２０の上方に設けられ、用紙Ｐの表面を読み取るものである。なお、読取部７３０及び読取部７６０の何れか一方を特に限定しない場合、読取部８００と称する。つまり、読取部８００は、測色計７９０よりも上流側に２台設けられているものであって、測色計７９０よりも上流側に設けられている２台の読取部８００のうち一方は、読取部７６０であり、測色計７９０よりも上流側に設けられている２台の読取部８００のうち他方は、読取部７３０である。
【００６１】
したがって、読取部７６０の読取結果は、例えば、用紙Ｐに印刷された画像の表裏面のずれのチェック、又は想定外の画像の有無等のチェックに利用することができる。一方、読取部７３０は、用紙Ｐに印刷された画像、例えば、パッチを読み取るものである。読取部７３０は、用紙Ｐが搬送されるにつれ、用紙Ｐの進行方向に直交する直交方向、すなわち主走査方向に沿って、用紙Ｐに形成された画像の色を読み取ることができる。
【００６２】
つまり、読取部７３０，７６０を利用することにより、用紙Ｐの各種チェックを行いつつ、用紙Ｐ全体に形成された画像を読み取ることができるため、測色計７９０と連携することにより、用紙Ｐを通紙経路７２０に１回通すだけで、用紙Ｐに形成される画像の位置の補正並びに用紙Ｐに形成される画像の色を正確に補正することができる。
【００６３】
以上、本開示を適用した画像形成システム１を実施形態に基づいて説明したが、本開示はこれに限定されるものではなく、本開示の趣旨を逸脱しない範囲で、変更を加えてもよい。
【００６４】
例えば、本実施形態においては、引出ガイド部材７３３が１つの引出部材７３３１と１つの保持部材７３３２とから構成される一例について説明したが、特にこれに限定されるものではない。例えば、引出ガイド部材７３３は、複数の引出部材７３３１と１つの保持部材７３３２とから構成されるものであってもよい。この場合、複数の引出部材７３３１により段階的に読取部７３０を引き出せるようにしてもよい。具体的には、例えば、３つの引出部材７３３１を備える構成であれば、読取部７３０を３段引きで引出自在とするものであってもよい。
【００６５】
また、本実施形態においては、引出ガイド部材７３３が読取部７３０の側面に設けられる一例について説明したが、特にこれに限定されるものではない。例えば、引出ガイド部材７３３は、読取部７３０の上面側に設けられ、読取部７３０を吊り下げつつ、引出自在に設けられるものであってもよい。
【００６６】
また、本実施形態においては、引出ガイド部材７３３が、引出部材７３３１と、保持部材７３３２とから構成されるスライド形状のレールである一例について説明したが、特にこれに限定されるものではない。例えば、引出ガイド部材７３３は、引出部材７３３１が保持部材７３３２上をリニアに動くリニア形状のレールであってもよい。また、例えば、引出ガイド部材７３３は、引出部材７３３１が、保持部材７３３２に設けられたコロにより引出自在となるコロ形状のレールであってもよい。また、例えば、引出部材７３３１が複数の部材で構成され、傾き自在なティルト形状のレールであってもよい。なお、引出部材７３３１及び保持部材７３３２そのものの構成又は形状については特に限定するものではないが、例えば、引出部材７３３１及び保持部材７３３２の構成はＤＩＮレールからなるものであってもよい。また、引出部材７３３１又は保持部材７３３２の形状は、Ｌ字形状であってもよい。
【００６７】
また、本実施形態においては、読取部７６０には、読取部７３０のように、引出ガイド部材７３３等が設けられていない一例について説明したが、特にこれに限定されるものではない。例えば、読取部７６０にも、読取部７３０のように、引出ガイド部材７３３等のようなものが設けられる構成であってもよい。
【００６８】
また、本実施形態においては、冷却部７１４がファンから構成される一例について説明したが、特にこれに限定されるものではない。例えば、冷却部７１４が冷媒を通す配管から構成され、そのような配管を照明部７３４の周囲に設けることにより、照明部７３４で生じる熱を冷媒を介して熱交換した結果として、照明部７３４が冷却されるものであってもよい。また、排気口７０９から照明部７３４までの空気が流れる経路を形成するダクトを設け、送風部７０５を構成するファンの駆動によりダクト内部を減圧させ、照明部７３４で生じた熱を画像読取筐体７０１の外に放出させる構成であってもよい。また、冷却部７１４から排気口７０９までの空気が流れる経路を形成するダクトを設け、冷却部７１４を構成するファンの駆動によりダクト内部を減圧させ、照明部７３４で生じた熱を画像読取筐体７０１の外に放出させる構成であってもよい。
【００６９】
また、本実施形態においては、画像形成システム１が給紙装置３及び後処理装置９を備える一例について説明したが、特にこれに限定されるものではない。例えば、画像形成システム１は、画像形成装置５及び画像読取装置７だけであってもよい。また、画像形成システム１は、画像形成装置５及び画像読取装置７が別々に構成されるものではなく一体的にシステム化されるものであってもよい。
【００７０】
また、本実施形態においては、画像形成装置５が電子写真方式により用紙Ｐに画像を形成する一例について説明したが、特にこれに限定されるものではない。例えば、画像形成装置５は、インクジェット方式又は熱転写方式のように用紙Ｐに熱が供給される他の方式により用紙Ｐに画像を形成するものであってもよい。
【００７１】
また、本実施形態においては、用紙支持部材７２１を回転させることにより、用紙支持部材７２１に構成されている読取部１１との対向面を切り替える一例について説明したが、これに限らず、用紙支持部材７２１を平面板とし、平面板上に、黒色面Ｉ、白色面ＩＩ、用紙支持面ＩＩＩ、白基準面ＩＶ、黒基準面Ｖ、及び面ＶＩが構成されていてもよい。なお、用紙支持部材７２１が平面板の場合には、平面板を平行に移動させることにより、用紙支持部材７２１に形成された黒色面Ｉ、白色面ＩＩ、用紙支持面ＩＩＩ、白基準面ＩＶ、黒基準面Ｖ、及び面ＶＩの何れか1つに切り替えればよい。
【符号の説明】
【００７２】
１  画像形成システム、  ３  給紙装置、５  画像形成装置
１１  読取部、１１Ａ  ＡＤＦ、１１Ｂ  原稿読取部、１３  原稿トレイ
１５  通紙経路、１７  排紙トレイ、１９  画像形成装置本体
２１  密着型イメージセンサー、２３  濃度基準部材
２５  原稿照明部、２５Ａ  ランプ、２５Ｂ  ミラー、２６  反射ミラー
２７  集光レンズ、２８  センサー、２９  プラテンガラス
４１  画像形成部、４３  定着部、４５  給紙部
５１  露光装置、５３  現像装置、５５  感光ドラム、５７  転写ベルト
７  画像読取装置、７０１  画像読取筐体、７０２  扉
７０３，７０４，７０７  位置決め部材
７０５  送風部、７０６  支持部材、７０８  台座、７０９  排気口
７１０，７８０  搬送部
７１１，７８１  搬送筐体、７１２  突起、７１３，７７３  光透過部材
７１４  冷却部、７１５，７１７，７７１  搬送ガイド部材
７１６，７１８，７１９，７７２  搬送ローラー、７２０  通紙経路
７２１，７２１Ａ，７２１Ｂ，７２２  用紙支持部材
７３０，７６０，８００  読取部、７３１，７６１  読取筐体
７３２，７６２  突起
７３３  引出ガイド部材、７３３１  引出部材、７３３２  保持部材
７３４，７６４  照明部
７３４１  照明筐体、７３４２  光源、７３４３  ガラス部材
７３４４  導光部材、７３４５  開口
７３５，７６５  ミラー部、７３６，７６６  結像レンズ列
７３７，７６７  光検出部
７９０  測色計
９  後処理装置
Ｋ  用紙搬送方向、Ｌ  開閉方向、Ｍ  引出方向、Ｐ  用紙、Ｘ  光量
Ａ  読取位置、Ｃ  読取下限距離
Ｉ  黒色面、ＩＩ  白色面、ＩＩＩ  用紙支持面、ＩＶ  白基準面、Ｖ  黒基準面
ＶＩ  面
【図１】
2018160749.tif 000003
【図２】
2018160749.tif 000004
【図３】
2018160749.tif 000005
【図４】
2018160749.tif 000006
【図５】
2018160749.tif 000007
【図６】
2018160749.tif 000008
【図７】
2018160749.tif 000009
【図８】
2018160749.tif 000010